(57)【要約】【課題】  １つのフレキシブル配線板に形成された２以上の回路間を簡単にジョイントする。【解決手段】  フレキシブル配線板１，２同士あるいはフレキシブル配線板１とワイヤハーネスの各端部が夫々挿入される一対の挿入口３，４が設けられ、内部に各挿入口３，４から挿入されてきたフレキシブル配線板１，２同士あるいはフレキシブル配線板１とワイヤハーネスとを電気的に接続する電気接続子６を複数設けたコネクタハウジング５を備えたフレキシブル配線板用コネクタにおいて、一方のフレキシブル配線板１に形成された複数の回路Ｃ１〜Ｃ４中隣接しない回路Ｃ１，Ｃ４間をコネクタハウジング５へ挿入される端部側でジョイント１０を形成して接続しておき、他方のフレキシブル配線板２の複数の回路導体２Ａあるいはワイヤハーネスの複数のワイヤを前記一方のフレキシブル配線板１の回路導体１Ａに単一片から形成された電気接続子６を介して接続した。【選択図】  図１
2006260803.tif 000002
【特許請求の範囲】
【請求項１】
フレキシブル配線板同士あるいはフレキシブル配線板とワイヤハーネスの各端部が夫々挿入される一対の挿入口が設けられ、内部に各挿入口から挿入されてきたフレキシブル配線板同士あるいはフレキシブル配線板とワイヤハーネスとを電気的に接続する電気接続子を複数設けたコネクタハウジングを備えたフレキシブル配線板用コネクタにおいて、
一方のフレキシブル配線板に形成された複数の回路中隣接しない回路間をコネクタハウジングへ挿入される端部側でジョイントを形成して接続しておき、
他方のフレキシブル配線板の複数の回路導体あるいはワイヤハーネスの複数のワイヤを前記一方のフレキシブル配線板の回路導体に単一片から形成された電気接続子を介して接続したことを特徴とするフレキシブル配線板用コネクタ。
【請求項２】
フレキシブル配線板同士の接続において用いられる電気接続子は、プレートの一部分を切りおこして折り曲げたバネ性を有する一対の接続突起を有していることを特徴とする請求項１に記載のフレキシブル配線板用コネクタ。
【請求項３】
フレキシブル配線板とワイヤハーネスとの接続において用いられる電気接続子は、一端側にフレキシブル配線板の露出する回路導体を挟み込む挟持部を有し、他端側にワイヤ端部を固定する固定部を有していることを特徴とする請求項１に記載のフレキシブル配線板用コネクタ。
【発明の詳細な説明】
【技術分野】
【０００１】
本発明は、自動車やＯＡ機器等の配線に多く用いられるフレキシブルプリント配線板（ＦＰＣ）とかフレキシブルフラットケーブル（ＦＦＣ）などのフレキシブル配線板の回路導体を互いに接続するためのフレキシブル配線板用コネクタに関する。
【背景技術】
【０００２】
この種、フレキシブル配線板、例えばＦＰＣは、ポリイミドやポリエチレンテレフタレート等の絶縁フィルム（ベースフィルム）上に圧延銅箔や電解銅箔等よりなる回路導体で回路パターンを形成し、さらにその上に前述同様の絶縁フィルム（カバーレイ）を貼り合わせた構造とされている。従って、このようなＦＰＣは可撓性を有し、回路導体がフィルム上にパターン化されているので配線が行ないやすく、特に複雑な回路間や装置間の接続によく利用されている。そしてこのＦＰＣを接続するコネクタとしては、ＦＰＣの端部が挿入される一対の挿入口を有するコネクタハウジングと、コネクタハウジング内に保持されると共に、各挿入口から夫々挿入された各ＦＰＣの端部の回路導体に接触される接続突部を夫々有する単一片から形成された電気接続子と、各ＦＰＣの端部を前記接続突部側に押圧する押圧体とを備えてなるものが開発されている（特許文献１参照）。
【０００３】
この特許文献１に記載のコネクタによれば、図７に示すように、コネクタハウジング１００の各挿入口１０１，１０２より、各ＦＰＣ１０３，１０４の端部が挿入され、夫々の回路導体１０３Ａ，１０４Ａが電気接続子１０５の各接続突部１０６に接触され、ここに電気接続子１０５を通じて両ＦＰＣ１０３，１０４の回路導体１０３Ａ，１０４Ａが互いに接続される。また、押圧体１０７によって各ＦＰＣ１０３，１０４が接続突部１０６側に押圧されるため、各回路導体１０３Ａ，１０４Ａと各接続突部１０６とが圧接され、接触部の信頼性が向上する。そして、ＦＰＣ１０３，１０４の回路導体１０３Ａ，１０４Ａを互いに接続する接続子１０５およびコネクタハウジング１００の単一化が図れ、従って製造工程の単一化が図れ、生産性が向上し、製造コスト低減が図れる、というものである。
【特許文献１】実開平５−３１１６７号公報（第２頁、図１）
【発明の開示】
【発明が解決しようとする課題】
【０００４】
従来のコネクタは、ＦＰＣ同士をストレートに接続するだけであり、すなわち２つのＦＰＣの回路導体を対向する１対１の関係で接続し、一方のＦＰＣのひとつの回路導体と他方のＦＰＣのふたつの回路導体とを接続しようとする場合、すなわち各回路にジョイントが必要な場合には、特別なジョイントコネクタが必要となる。ＦＰＣは、コストを抑えるために片面配線板としているが、この場合隣接する回路同士についてはエッチングで形成して接続することができるが、隣接しない回路間の接続には特別なジョイントコネクタまたはジョイント手段を設けなければならなかった。また、上述した従来例では、ＦＦＣ同士の接続については開示されていないが、ＦＦＣの場合にはエッチングでジョイント回路がつくれないので、ピアッシング等によるジョイントを設ける必要があった。さらに、ＦＰＣ，ＦＦＣを含むフレキシブル配線板とワイヤハーネスとの接続を図る場合でもフレキシブル配線板の複数の回路間を接続する場合には、上述したような不都合があった。
【０００５】
そこで、本発明は、ＦＰＣやＦＦＣ等のフレキシブル配線板同士あるいはワイヤハーネスとの接続の容易性、確実性ないしは信頼性を向上させることは勿論、特別なジョイントコネクタを必要とせずに回路間をジョイントでき、コストダウンを図ったフレキシブル配線板用コネクタを提供することを目的とする。
【課題を解決するための手段】
【０００６】
上述の目的を達成するため、本発明は、フレキシブル配線板同士あるいはフレキシブル配線板とワイヤハーネスの各端部が夫々挿入される一対の挿入口が設けられ、内部に各挿入口から挿入されてきたフレキシブル配線板同士あるいはフレキシブル配線板とワイヤハーネスとを電気的に接続する電気接続子を複数設けたコネクタハウジングを備えたフレキシブル配線板用コネクタにおいて、一方のフレキシブル配線板に形成された複数の回路中隣接しない回路間をコネクタハウジングへ挿入される端部側でジョイントを形成して接続しておき、他方のフレキシブル配線板の複数の回路導体あるいはワイヤハーネスの複数のワイヤを前記一方のフレキシブル配線板の回路導体に単一片から形成された電気接続子を介して接続したものである。
【発明の効果】
【０００７】
本発明によれば、フレキシブル配線板同士あるいはフレキシブル配線板とワイヤハーネスの各端部が夫々挿入される一対の挿入口が設けられ、内部に各挿入口から挿入されてきたフレキシブル配線板同士あるいはフレキシブル配線板とワイヤハーネスとを電気的に接続する電気接続子を複数設けたコネクタハウジングを備えたフレキシブル配線板用コネクタにおいて、一方のフレキシブル配線板に形成された複数の回路中隣接しない回路間をコネクタハウジングへ挿入される端部側でジョイントを形成して接続しておき、他方のフレキシブル配線板の複数の回路導体あるいはワイヤハーネスの複数のワイヤを前記一方のフレキシブル配線板の回路導体に単一片から形成された電気接続子を介して接続したので、一方のフレキシブル配線板の複数の回路間のジョイントが容易に可能となり、特別なジョイントコネクタを必要とせず、コストダウンを図ることができる。
【発明を実施するための最良の形態】
【０００８】
以下に、本発明の好適な実施形態を図面を参照にして説明する。
【０００９】
図１は本発明の実施形態におけるフレキシブル配線板用コネクタの分解斜視図であり、２枚のＦＰＣあるいはＦＦＣなどのフレキシブル配線板１，２の端部を挿入するための一対の挿入口３，４を設けたコネクタハウジング５の内部に、両フレキシブル配線板１，２を接続する電気接続子６を設けてある。一方のフレキシブル配線板１は、片面に４つの回路Ｃ１〜Ｃ４を形成してあり、コネクタハウジング５に挿入口３から挿入されるフレキシブル配線板１の端部には露出された回路導体１Ａが形成され、これらの回路導体１Ａ（回路Ｃ１のものを除く）が後述する電気接続子６の一対の接続突起６Ｂの一方に圧接する。他方のフレキシブル配線板２には３つの回路と回路導体２Ａが形成され、一対の接続突起６Ｂの他方に圧接する。
【００１０】
図２は、一方のフレキシブル配線板１の裏面をその端部側を破断して示すものであり、両側の互いに隣接しない回路Ｃ１とＣ４とをジョイント１０で接続してある。このジョイント１０は、図３に示すように、ベースフィルム１Ｂとカバーレイ１Ｃとの間に回路Ｃ１〜Ｃ４を挟んであり、カバーレイ１Ｃを切欠いた個所に回路導体１Ａが露出している。ジョイント１０は、回路Ｃ２，Ｃ３とは接続されておらず、回路Ｃ１，Ｃ４を接続し、ベースフィルム１Ｂとカバーレイ１Ｃとの間に挟まれている。
【００１１】
図４及び図５は、コネクタハウジング５内に設けられた電気接続子６を示し、プレート６Ａに一対の接続突起６Ｂを形成したものであり、一方の接続突起６Ｂにフレキシブル配線板１の回路導体１Ａが、他方の接続突起６Ｂにフレキシブル配線板２の回路導体２Ａが夫々圧接する。前記接続突起６Ｂは、図４に示すように、プレート６Ａの一部分を切りおこして折り曲げたバネ性を有するものであってもいいし、プレート６Ａの下方から上方へ膨出させた半球状のものであってもいい。接続突起６Ｂは、コネクタハウジング５の天井に接触もしくは近接し、フレキシブル配線板１，２の端部を強く挟み込むようになっている。
【００１２】
上述した実施形態は、回路Ｃ１，Ｃ４をジョイント１０で接続したが、Ｃ１とＣ３、Ｃ２とＣ４などの隣接しない回路間を接続することもできるし、３以上の回路間を接続することもできる。
【００１３】
図６は、他方をワイヤハーネス２０とし、ワイヤハーネス２０のワイヤ２１を電気接続子６０の他端の固定部６２に固定し、一端側の挟持部６１でフレキシブル配線板１の端部を挟持する。電気接続子６０の挟持部６１は、上下一対の部材間にフレキシブル配線板１を差し込む挿入口を形成したものであり、固定部６２は、ワイヤ２１をかしめる部材を備えたものである。
【図面の簡単な説明】
【００１４】
【図１】本発明の実施形態を示す組み立て前の斜視図。
【図２】フレキシブル配線板の裏面図。
【図３】フレキシブル配線板の断面図。
【図４】電気接続子の斜視図。
【図５】電気接続子の変形例。
【図６】ワイヤハーネスとの接続を示す斜視図。
【図７】従来例を示す斜視図。
【符号の説明】
【００１５】
１，２  フレキシブル配線板
１Ａ，２Ａ  回路導体
３，４  挿入口
５    コネクタハウジング
６    電気接続子
６Ａ  プレート
６Ｂ  接続突起
１０  ジョイント
Ｃ１〜Ｃ４  回路
【図１】
2006260803.tif 000003
【図２】
2006260803.tif 000004
【図３】
2006260803.tif 000005
【図４】
2006260803.tif 000006
【図５】
2006260803.tif 000007
【図６】
2006260803.tif 000008
【図７】
2006260803.tif 000009